(57)【要約】【課題】防水性の向上を図ることが可能なアンテナ装置を提供する。【解決手段】アンテナ装置１ａは、回路モジュール２と、ケース３と、を備える。回路モジュール２は、ＧＰＳアンテナ素子２１を備える。ケース３は、ボディ３１と、カバー３２と、を備える。ボディ３１は、ベース部３１１と、環状の側壁部３１２と、を備える。ボディ３１は、側壁部３１２の外周面３１２ｂの全周に亘って側壁部３１２から外方へ突出した第１突起部３１３と、第１突起部３１３の下端部３１３ｂから外方へ突出した外鍔部３１４と、を備える。カバー３２は、ボディ３１との間に弾性部材４を挟持する第２突起部３２２を備える。受信回路２２により増幅されたＧＰＳ信号を伝送するための高周波同軸ケーブルを接続する接続部５は、ベース部３１１の下面３１１ｂから下方へ突出するように配置されている。カバー３２は、外鍔部３１４の下端までボディ３１を覆っている。【選択図】図１
2016063419.tif 000002
【特許請求の範囲】
【請求項１】
回路モジュールと、ケースと、を備え、
前記回路モジュールは、ＧＰＳアンテナ素子と、前記ＧＰＳアンテナ素子で受信して電気信号に変換されたＧＰＳ信号を増幅して出力する受信回路における一群の電子部品と、前記ＧＰＳアンテナ素子と前記一群の電子部品とが実装された回路基板と、を備え、
前記ケースは、前記回路モジュールが搭載されるボディと、前記回路モジュールを覆って前記ボディに結合されたカバーと、を備え、
前記ボディは、平板状に形成されたベース部と、前記ベース部の上面から突出した環状の側壁部と、を備え、
前記ボディは、前記側壁部の外周面の全周に亘って前記側壁部から外方へ突出した第１突起部と、前記第１突起部の下端部から外方へ突出した外鍔部と、を備え、
前記ベース部の前記第１突起部上に配置された環状の弾性部材と、前記受信回路により増幅されたＧＰＳ信号を伝送するための高周波同軸ケーブルを接続する接続部と、を更に備え、
前記カバーは、カバー本体の内面から下方へ突出して設けられ前記ボディとの間に前記弾性部材を挟持する第２突起部を備え、
前記接続部は、前記ベース部の下面から下方へ突出するように配置され、
前記カバーは、前記外鍔部の下端まで前記ボディを覆っており、
前記外鍔部の外周面に凹凸が形成されている、
ことを特徴とするアンテナ装置。
【請求項２】
前記凹凸は、一群の凹部と一群の凸部とが前記側壁部の外周方向に沿った方向において交互に並んでいる、
ことを特徴とする請求項１記載のアンテナ装置。
【請求項３】
前記ボディと前記カバーとは、複数の螺子により結合されており、
前記ボディは、前記外鍔部に、前記複数の螺子の各々の軸部が前記ボディの下面側から挿通される複数の貫通孔が形成され、
前記カバーは、各々が前記軸部の先端部が嵌め合される螺子穴を有する複数のボス部が前記カバー本体から突出して設けられており、
前記一群の凸部は、前記複数の貫通孔の各々に対応する位置に形成された複数の第１凸部と、各々が前記複数の第１凸部のうち前記外周方向において隣り合う第１凸部の間にある複数の第２凸部と、で構成されている、
ことを特徴とする請求項２記載のアンテナ装置。
【請求項４】
前記カバーは、前記カバー本体の内面において前記外鍔部に対向する部位から突出して設けられ前記凹凸の凹部に入り込んだ補強突起を備える、
ことを特徴とする請求項１乃至３のいずれか一項に記載のアンテナ装置。
【請求項５】
前記ボディにおける前記第１突起部から下方へ向かって突出する複数のリブを有する、
ことを特徴とする請求項１乃至４のいずれか一項に記載のアンテナ装置。
【請求項６】
前記カバーは、前記カバー本体の下端縁から下方へ向かって突出する複数のリブを有する、
ことを特徴とする請求項１乃至５のいずれか一項に記載のアンテナ装置。
【請求項７】
前記接続部は、高周波同軸コネクタである、
ことを特徴とする請求項１乃至６のいずれか一項に記載のアンテナ装置。
【発明の詳細な説明】
【技術分野】
【０００１】
本発明は、アンテナ装置に関し、より詳細には、ＧＰＳ（Global Positioning System）用の人工衛星からＧＰＳ信号を受信するＧＰＳアンテナ素子を備えるアンテナ装置に関する。
【背景技術】
【０００２】
従来、この種のアンテナ装置としては、ＧＰＳアンテナ素子と、ＧＰＳアンテナ素子で受信したＧＰＳ用信号を増幅して出力する受信回路部と、サージアブソーバ素子と、回路基板と、を備えたアンテナ装置が知られている（特許文献１）。
【０００３】
アンテナ装置は、ケースを備えている。ケースは、回路基板が一面側に搭載されるボディと、ボディの一面側に被着されて回路基板を覆うレドームとからなる。
【先行技術文献】
【特許文献】
【０００４】
【特許文献１】特開２００８−５４６８号公報
【発明の概要】
【発明が解決しようとする課題】
【０００５】
アンテナ装置の分野では、より防水性の高いアンテナ装置の開発が望まれている。
【０００６】
本発明の目的は、防水性の向上を図ることが可能なアンテナ装置を提供することにある。
【課題を解決するための手段】
【０００７】
本発明のアンテナ装置は、回路モジュールと、ケースと、を備える。前記回路モジュールは、ＧＰＳアンテナ素子と、前記ＧＰＳアンテナ素子で受信して電気信号に変換されたＧＰＳ信号を増幅して出力する受信回路における一群の電子部品と、前記ＧＰＳアンテナ素子と前記一群の電子部品とが実装された回路基板と、を備える。前記ケースは、前記回路モジュールが搭載されるボディと、前記回路モジュールを覆って前記ボディに結合されたカバーと、を備える。前記ボディは、平板状に形成されたベース部と、前記ベース部の上面から突出した環状の側壁部と、を備える。前記回路モジュールは、前記回路基板の周部が前記側壁部の上面に重ねて配置されている。前記ボディは、前記側壁部の外周面の全周に亘って前記側壁部から外方へ突出した第１突起部と、前記第１突起部の下端部から外方へ突出した外鍔部と、を備える。本発明のアンテナ装置は、前記ベース部の前記第１突起部上に配置された環状の弾性部材と、前記受信回路により増幅されたＧＰＳ信号を伝送するための高周波同軸ケーブルを接続する接続部と、を更に備える。前記カバーは、カバー本体の内面から下方へ突出して設けられ前記ボディとの間に前記弾性部材を挟持する第２突起部を備える。前記接続部は、前記ベース部の下面から下方へ突出するように配置されている。前記カバーは、前記外鍔部の下端まで前記ボディを覆っている。本発明のアンテナ装置は、前記外鍔部の外周面に凹凸が形成されている。
【発明の効果】
【０００８】
本発明のアンテナ装置においては、防水性の向上を図ることが可能となる。
【図面の簡単な説明】
【０００９】
【図１】図１Ａは、実施形態のアンテナ装置の一部破断した概略正面図である。図１Ｂは、実施形態のアンテナ装置の概略下面図である。
【図２】図２Ａは、実施形態のアンテナ装置における回路モジュールの概略平面図である。図２Ｂは、実施形態のアンテナ装置における回路モジュールの概略下面図である。
【図３】図３Ａは、実施形態のアンテナ装置の概略平面図である。図３Ｂは、実施形態のアンテナ装置の概略下面図である。図３Ｃは、実施形態のアンテナ装置の概略正面図である。
【図４】図４は、実施形態のアンテナ装置におけるボディを示し、上方から見た概略斜視図である。
【図５】図５は、実施形態のアンテナ装置におけるボディを示し、下方側から見た概略斜視図である。
【図６】図６は、実施形態のアンテナ装置におけるボディを示し、図３ＡのＸ１−Ｘ１概略断面図である。
【図７】図７は、実施形態のアンテナ装置におけるボディを示し、図３ＡのＸ２−Ｘ２概略断面図である。
【図８】図８は、実施形態のアンテナ装置におけるボディを示し、図３ＡのＸ３−Ｘ３概略断面図である。
【図９】図９は、実施形態のアンテナ装置におけるカバーの概略下面図である
【図１０】図１０は、実施形態のアンテナ装置におけるカバーの要部概略断面図である。
【図１１】図１１は、第１変形例のアンテナ装置の概略下面図である。
【図１２】図１２は、第２変形例のアンテナ装置の概略下面図である。
【図１３】図１３は、第３変形例のアンテナ装置の一部破断した概略正面図である。
【図１４】図１４は、第４変形例のアンテナ装置の一部破断した概略正面図である。
【発明を実施するための形態】
【００１０】
下記の実施形態において説明する各図は、模式的な図であり、各構成要素の大きさや厚さそれぞれの比が、必ずしも実際の寸法比を反映しているとは限らない。また、実施形態に記載した材料、数値等は、好ましい例を示しているだけであり、それに限定する主旨ではない。更に、本願発明は、その技術的思想の範囲を逸脱しない範囲で、構成に適宜変更を加えることが可能である。
【００１１】
以下では、本実施形態のアンテナ装置１ａについて図１Ａ、１Ｂ、２Ａ、２Ｂ、３Ａ、３Ｂ、３Ｃ、４〜１０に基づいて説明する。
【００１２】
アンテナ装置１ａは、回路モジュール２と、回路モジュール２を収納したケース３と、を備える。回路モジュール２は、ＧＰＳアンテナ素子２１と、ＧＰＳアンテナ素子２１で受信して電気信号に変換されたＧＰＳ信号を増幅して出力する受信回路２２における一群の電子部品２３と、ＧＰＳアンテナ素子２１と一群の電子部品２３とが実装された回路基板２５と、を備える。ケース３は、回路モジュール２が搭載されるボディ３１と、回路モジュール２を覆ってボディ３１に結合されたカバー３２と、を備える。ボディ３１は、平板状に形成されたベース部３１１と、ベース部３１１の上面３１１ａから突出した環状の側壁部３１２と、を備える。回路モジュール２は、回路基板２５の周部が側壁部３１２の上面３１２ａに重ねて配置されている。ボディ３１は、側壁部３１２の外周面３１２ｂの全周に亘って側壁部３１２から外方（側方）へ突出した第１突起部３１３と、第１突起部３１３の下端部３１３ｂから外方（側方）へ突出した外鍔部３１４と、を備える。アンテナ装置１ａは、ベース部３１１の第１突起部３１３上に配置された環状の弾性部材４と、受信回路２２により増幅されたＧＰＳ信号を伝送するための高周波同軸ケーブルを接続する接続部５と、を更に備える。カバー３２は、カバー本体３２１の内面３２１ｂから下方へ突出して設けられボディ３１との間に弾性部材４を挟持する第２突起部３２２を備える。接続部５は、ベース部３１１の下面３１１ｂから下方へ突出するように配置されている。カバー３２は、外鍔部３１４の下端までボディ３１を覆っている。アンテナ装置１ａは、外鍔部３１４の外周面３１４ａに凹凸３１５が形成されている。以上説明した本実施形態のアンテナ装置１ａにおいては、防水性の向上を図ることが可能となる。
【００１３】
回路モジュール２は、回路基板２５におけるベース部３１１に近い第１面２５ａ側に一群の電子部品２３の少なくとも一部の電子部品２３が配置されている。回路モジュール２は、回路基板２５における第１面２５ａとは反対の第２面２５ｂ側にＧＰＳアンテナ素子２１が配置されている。
【００１４】
また、アンテナ装置１ａは、図２Ａに示すように、回路モジュール２が、サージ防護デバイス（surge protective device）２４を備えているのが好ましい。サージ防護デバイス２４は、これにより、アンテナ装置１ａは、耐雷サージ性能を向上させることが可能となる。また、アンテナ装置１ａは、回路モジュール２が、サージ防護デバイス２４を覆うシールドケース２６を備えているのが好ましい。これにより、アンテナ装置１ａは、サージ防護デバイス２４を設けたことに起因する輻射ノイズの影響を抑制することが可能となる。
【００１５】
アンテナ装置１ａの各構成要素については、以下に、より詳細に説明する。
【００１６】
ＧＰＳアンテナ素子２１は、ＧＰＳ用の人工衛星が送信するＧＰＳ信号を受信することができる無指向性のアンテナ素子である。ＧＰＳ用の人工衛星が送信するＧＰＳ信号は、周波数が１５７５．４２ＭＨｚの電波（Ｌ１波）を媒体とする無線信号である。ＧＰＳ用の人工衛星が送信するＧＰＳ信号は、人工衛星の原子時計の時刻情報を時間情報として含んでいる。アンテナ装置１ａは、例えば、基地局のＧＰＳ受信機と高周波同軸ケーブルを介して接続して使用される。よって、基地局は、ＧＰＳ信号の時間情報を取得することができる。
【００１７】
ＧＰＳアンテナ素子２１としては、例えば、平面型の誘電体アンテナを採用することができる。平面型の誘電体アンテナは、誘電率が高いセラミック製のアンテナ基体と、アンテナ基体の一面に形成されたアンテナ部と、アンテナ基体の他面に形成されたアース部（接地部）と、を備える。以下では、アース部の表面を、アース面という。アンテナ部及びアース部は、導体により形成されている。アンテナ部及びアース部は、例えば、銅ペーストや銀ペースト等をアンテナ基体に塗布して形成することができる。
【００１８】
受信回路２２は、ＧＰＳアンテナ素子２１で受信して電気信号に変換されたＧＰＳ信号を増幅して、伝送用の高周波同軸ケーブルに出力することができる。これにより、基地局のＧＰＳ受信機では、アンテナ装置１ａから伝送されたＧＰＳ信号をより確実に復調することが可能となる。
【００１９】
受信回路２２は、一群の電子部品２３を回路基板２５に実装することで構成されている。より詳細には、受信回路２２は、複数の抵抗、複数のコンデンサ等を備えており、それぞれが１つの電子部品２３を構成している。受信回路２２は、複数のアンプと複数のバンドパスフィルタとが交互に接続されているのが好ましい。ここで、複数のアンプの各々は、所定の利得が得られるようにＧＰＳ信号を増幅する。また、複数のバンドパスフィルタの各々は、Ｌ１波の周波数を中心とする所定の周波数帯域のＧＰＳ信号を透過するように構成されている。受信回路２２は、例えば、４段フィルタの構成とすることができる。
【００２０】
回路基板２５は、両面プリント配線板である。回路基板２５は、ガラス・布エポキシ樹脂銅張積層板を用いて形成されている。回路基板２５は、平面形状が円形状に形成されているのが好ましい。回路基板２５は、回路形成用に形成された第１導体部と、グラウンド層を構成する第２導体部と、を備える。回路基板２５の中央部には、接続部５と回路基板２５とを電気的に接続する同軸ケーブルを通す貫通孔２５ｃが形成されている。同軸ケーブルは、第１端部が接続部５に接続される。また、同軸ケーブルは、第２端部において絶縁被覆を剥いで露出させた芯線が受信回路２２の出力端に接続され、第２端部の同軸外導体が第２導体部に接続される。
【００２１】
回路基板２５の周部には、回路基板２５をボディ３１に取り付けるための複数の螺子（以下、「第１螺子」という。）の各々の軸部が挿通される複数の孔２５ｄが形成されている。より詳細には、回路基板２５の周部には、４つの孔２５ｄが、回路基板２５の外周に沿った方向において略等間隔で並んで形成されている。
【００２２】
サージ防護デバイス２４としては、例えば、バリスタ（varistor）等を採用することができる。サージ防護デバイス２４は、第１端子と、第２端子と、を備え、第１端子が受信回路２２の出力端に接続され、第２端子が回路基板２５の第２導体部に接続されることで、避雷器としての作用を発揮する。
【００２３】
回路モジュール２は、回路基板２５の第２面２５ｂ側に、ＧＰＳアンテナ素子２１と、サージ防護デバイス２４とが配置されている。ＧＰＳアンテナ素子２１は、アース面を回路基板２５の第２面２５ｂに接触させた状態で、回路基板２５の第２面２５ｂ側に配置されている。
【００２４】
シールドケース２６は、金属により形成されている。シールドケース２６は、回路基板２５に対向する面が開放された矩形箱状の形状に形成されている。シールドケース２６は、サージ防護デバイス２４を覆うように回路基板２５の第２面２５ｂ上に配置されている。シールドケース２６は、導電性接着剤や半田等を用いて回路基板２５と接合されている。シールドケース２６は、回路基板２５の第２導体部と電気的に接続されている。シールドケース２６は、回路基板２５の第２面２５ｂに平行な一方向においてＧＰＳアンテナ素子２１から離れて配置されている。シールドケース２６は、回路基板２５の第２面２５ｂ側において、サージ防護デバイス２４の第１端子及び第２端子も覆っている。また、シールドケース２６は、回路基板２５の第２面２５ｂ側において、サージ防護デバイス２４の第１端子が接続される第１ランド及びサージ防護デバイス２４の第２端子が接続される第２１ランドも覆っているのが好ましい。
【００２５】
シールドケース２６は、例えば、第１端子に電流が流れることによって生じる磁界等による輻射ノイズが、ＧＰＳアンテナ素子２１に伝播するのを抑制する機能を有する。これにより、アンテナ装置１ａは、ＧＰＳアンテナ素子２１で電気信号に変換されたＧＰＳ信号に、サージ防護デバイス２４から発生する輻射ノイズが重畳されるのを抑制でき、電気信号に変換されたＧＰＳ信号のＳ／Ｎ比を向上させることが可能となる。
【００２６】
ケース３は、ボディ３１とカバー３２とが、複数の螺子３４（以下、「第２螺子３４」ともいう。）により結合されている。ボディ３１は、外鍔部３１４に複数の第２螺子３４の各々の軸部３４ｂがボディ３１の下方から挿通される複数の貫通孔３１８（図３Ｂ、４、５及び７参照）が形成されている。より詳細には、ボディ３１は、４つの第２螺子３４の各々の軸部３４ｂが挿通される４つの貫通孔３１８が形成されている。カバー３２は、各々が軸部３４ｂにおける先端部が嵌め合される螺子穴３２３（図９及び１０参照）を有する複数のボス部３２４（図９及び１０参照）がカバー本体３２１から突出して設けられている。より詳細には、カバー３２は、４つのボス部３２４が設けられている。ボス部３２４は、螺子穴３２３が形成されることで円筒状の形状となっている。
【００２７】
ボディ３１は、導電性材料により形成されているのが好ましい。導電性材料としては、金属が好ましい。金属としては、例えば、アルミニウム、亜鉛合金等が好ましい。導電性材料がアルミニウムの場合、ボディ３１は、例えば、アルミダイキャスト法により形成することができる。
【００２８】
ボディ３１は、ベース部３１１が円板状に形成されている。ボディ３１は、図３、４及び７に示すように、ベース部３１１の上面３１１ａと側壁部３１２の内側面３１２ｃとに連続するようにベース部３１１の上面３１１ａから上方へ突出したボス部３１１ｄを備えている。ボディ３１は、ボス部３１１ｄに、第１螺子の軸部の先端部が嵌め合される螺子穴３１１ｅが形成されている。また、環状の側壁部３１２は、円環状に形成されている。第１突起部３１３は、外周形状が円形状に形成されている。外鍔部３１４については、後述する。
【００２９】
カバー３２は、ＧＰＳアンテナ素子２１を含む回路モジュール２を覆って風圧、雨、雪等から回路モジュール２等を保護するレドーム（radome）である。
【００３０】
カバー３２は、電波を透過する材料により形成されている。より詳細には、カバー３２は、Ｌ１波を透過する材料により形成されている。カバー３２は、Ｌ１波に対する透過率が６０％以上であることが好ましく、７０％以上であるのがより好ましく、８０％以上であるのが更に好ましい。
【００３１】
カバー３２の材料としては、例えば、ポリカーボネート、フッ素系樹脂、ポリフェニレンオキサイド等を採用することができる。カバー３２は、例えば、ポリカーボネートに白色顔料を添加した材料の成形品により構成されているのが好ましい。白色顔料としては、無機顔料が好ましい。白色顔料としては、例えば、二酸化チタン、亜鉛華（酸化亜鉛）等を採用することができる。
【００３２】
カバー３２は、底面が開放された中空の円錐状の形状に形成されている。アンテナ装置１ａは、カバー３２を中空の略円錐状の形状としてあるので、ほこりの堆積や積雪を抑制することが可能となり、また、鳥等が止まるのを抑制することが可能となる。
【００３３】
弾性部材４としては、例えばスクィーズパッキン（squeeze packing）を採用することができる。スクィーズパッキンとは、つぶししろを与えて使用する成形パッキンを意味する。成形パッキンとは、型を用いて、成形加工により作られたパッキンを意味する。第１突起部３１３の外周形状が円形状の場合、スクィーズパッキンとしては、例えば、Ｏリングを採用することができる。弾性部材４（以下、「第１の弾性部材４」ともいう）の材質としては、例えば、ＥＰＤＭ（エチレン-プロピレン-ジエンゴム）、シリコーンゴム、フッ素系ゴム等を採用することができる。
【００３４】
接続部５は、高周波同軸コネクタであるのが好ましい。これにより、アンテナ装置１ａは、基地局のＧＰＳ受信機等へ伝送するＧＰＳ信号の減衰を抑制することが可能となる。高周波同軸コネクタとしては、例えば、Ｎ型コネクタを採用することができる。Ｎ型コネクタは、例えば、ＪＩＳ  Ｃ５４１１やＭＩＬ−ＰＲＦ−３９０１２等の規格を満たすか準拠しているのが好ましい。接続部５をＮ型コネクタ等の高周波同軸コネクタにより構成する場合、高周波同軸コネクタには、上述の同軸ケーブルの第１端部がアセンブリされているのが好ましい。高周波同軸コネクタのシェルの外周面に、第２の弾性部材を嵌める環状の溝が形成されているのが好ましい。第２の弾性部材は、第１の弾性部材４と同様に、スクィーズパッキンを採用することができる。スクィーズパッキンとしては、例えば、Ｏリングを採用することができる。
【００３５】
本実施形態のアンテナ装置１ａは、例えば、基地局が配置される建物の屋上に設置された支持ポールの頂部に、取付金具を用いて取り付けて使用される。アンテナ装置１ａは、取付金具を取り付けるための螺子（以下、「第３螺子」という。）の各々の軸部を嵌め合せることができる複数の螺子穴３１１ｆ（図１Ｂ、３Ｂ及び６参照）がベース部３１１の下面３１１ｂに形成されている。アンテナ装置１ａは、基地局のＧＰＳ受信機に、高周波同軸ケーブルを介して接続された状態で使用される。基地局は、アンテナ装置１ａから高周波同軸ケーブルを介して伝送されるＧＰＳ信号を受信することにより、ＧＰＳ信号の時間情報等を取得することが可能となる。基地局は、例えば、基地局同士の動作タイミングの同期用の時刻データとしてＧＰＳ信号の時間情報を取得することができる。なお、アンテナ装置１ａは、ＧＰＳ受信機から高周波同軸ケーブルを介して給電される。
【００３６】
以下では、アンテナ装置１ａの組み立て方法の一例について説明する。
【００３７】
アンテナ装置１ａの組み立てにあたっては、例えば、以下の第１ステップ、第２ステップ、第３ステップ、第４ステップ及び第５ステップを順次行う。
【００３８】
第１ステップでは、ボディ３１に接続部５を固定してから、接続部５に接続されている同軸ケーブルを回路モジュール２における回路基板２５の貫通孔２５ｃに通して回路基板２５に半田付けすることで受信回路２２の出力端と電気的に接続する。ボディ３１に接続部５を固定する際には、まず、予め第２の弾性部材が装着された接続部５の上部を筒部３１１ｈに差し込む。その後には、ベース部３１１の上面３１１ａ側から環状のワッシャを第２の弾性部材の上に載せて接続部５において上部よりも外径の大きい部分とワッシャとの間に第２の弾性部材が介在するようにし、接続部５の上部の外周面における螺子部にナットを嵌め合せる。
【００３９】
第２ステップでは、回路モジュール２をボディ３１の側壁部３１２の上面３１２ａに載置し、第１螺子の軸部を回路基板２５の孔２５ｄに挿通してボディ３１のボス部３１１ｄの螺子穴３１１ｅに嵌め合せることにより、回路モジュール２をボディ３１に固定する。
【００４０】
第３ステップでは、弾性部材４をボディ３１の第１突起部３１３の上面（図３Ａ及び４参照）の上に載せる。
【００４１】
第４ステップでは、カバー３２の第２突起部３２２が弾性部材４に当たり且つカバー３２が回路モジュール２を覆うように、カバー３２をボディ３１に被せる。
【００４２】
第５ステップでは、ボディ３１の複数の貫通孔３１８の各々に挿通された第２螺子３４の軸部３４ｂの先端部をカバー３２の複数の螺子穴３２３に１つずつ嵌め合せる。これにより、アンテナ装置１ａは、第１突起部３１３と第２突起部３２２との間の弾性部材４を弾性変形させて弾性部材４と第１突起部３１３及び第２突起部３２２それぞれとを密着させることができる。よって、アンテナ装置１ａは、ボディ３１とカバー３２との隙間を弾性部材４により塞ぐことができ、防水性を向上させることが可能となる。
【００４３】
ところで、本願発明者らは、本実施形態のアンテナ装置１ａと同様の構成において、カバー３２が、外鍔部３１４の下端まで覆っておらず、外鍔部３１４の外周面３１４ａに凹凸３１５を形成していない第１形態のアンテナ装置を開発した。しかしながら、第１形態のアンテナ装置では、カバーの外面を伝ってボディの下面側に回り込んだ水が表面張力で留まることがあるという知見を得た。また、本願発明者らは、第１形態のアンテナ装置では、例えば、夏季の昼間等に雷雨が発生したときに、弾性部材があるにもかかわらず水がケース内に吸い込まれることがあるという知見を得た。この原因としては、雷雨の影響でケースの温度が急激に低下すると、ケース内の空気が冷えてケース内が負圧状態となり、弾性部材とカバーやボディとの密着性の低い箇所を通して水がケース内に吸い込まれることが考えられる。
【００４４】
これに対して、本実施形態のアンテナ装置１ａでは、カバー３２が、外鍔部３１４の下端までボディ３１を覆っており、外鍔部３１４の外周面３１４ａに凹凸３１５が形成されている。これにより、アンテナ装置１ａでは、カバー３２の外面を伝ってボディ３１の下面側に回り込んだ水がボディ３１に留まるのを抑制することが可能となる。よって、アンテナ装置１ａは、例えば、ケース３の温度が急激に低下してケース３内が負圧状態となったときに水がケース３内に吸い込まれる可能性を低減でき、防水性を向上させることが可能となる。要するに、本実施形態のアンテナ装置１ａでは、ボディ３１の下面に水が滞留するのを抑制することが可能となり、防水性を向上させることが可能となる。
【００４５】
アンテナ装置１ａにおける凹凸３１５は、一群の凹部３１６と一群の凸部３１７とが側壁部３１２の外周方向に沿った方向において交互に並んでいるのが好ましい。これにより、アンテナ装置１ａは、ボディ３１の下面側に回り込んだ水がボディ３１に留まるのを、より抑制することが可能となる。より詳細には、アンテナ装置１ａは、仮にボディ３１の下面が水平よりも少し傾いて配置されてしまった場合でも、傾斜方向によらず、ボディ３１の下面側に回り込んだ水がボディ３１に留まるのを抑制することが可能となる。また、アンテナ装置１ａは、ケース３の側方からの衝撃に対するケース３の機械的強度を向上させることが可能となる。一群の凹部３１６は、側壁部３１２の外周方向に沿った方向において等間隔で形成されているのが好ましい。また、一群の凸部３１７は、側壁部３１２の外周方向に沿った方向において等間隔で形成されているのが好ましい。これにより、アンテナ装置１ａは、ケース３の側方からの衝撃に対するケース３の機械的強度を、より向上させることが可能となる。凸部３１７は、側壁部３１２の外周方向に沿った両端部が丸みを有する形状であるのが好ましい。これにより、アンテナ装置１ａは、ケース３の側方からの衝撃に対するケース３の機械的強度を、更に向上させることが可能となる。
【００４６】
また、アンテナ装置１ａは、上述のように、ボディ３１とカバー３２とが、複数の螺子３４により結合されているのが好ましい。ボディ３１は、外鍔部３１４に複数の螺子３４の各々の軸部３４ｂがボディ３１の下方から挿通される複数の貫通孔３１８が形成されている。カバー３２は、各々が軸部３４ｂにおける先端部が嵌め合される螺子穴３２３を有する複数のボス部３２４がカバー本体３２１から突出して設けられているのが好ましい。一群の凸部３１７は、複数の貫通孔３１８の各々に対応する位置に形成された複数の第１凸部３１７ａと、各々が複数の第１凸部３１７ａのうち外周方向において隣り合う第１凸部３１７ａの間にある複数の第２凸部３１７ｂと、で構成されているのが好ましい。これにより、アンテナ装置１ａは、図１１に示す第１変形例のアンテナ装置１ｂのように、凸部３１７が複数の螺子３４の各々に対応する位置のみに形成されている場合に比べて、防水性を向上させることが可能となる。また、アンテナ装置１ａは、第１変形例のアンテナ装置１ｂに比べて、ケース３の側方からの衝撃に対するケース３の機械的強度を向上させることが可能となる。
【００４７】
アンテナ装置１ａは、接続部５が、高周波同軸コネクタ（以下、第１の高周波同軸コネクタ）であるのが好ましい。
【００４８】
アンテナ装置１ａは、ベース部３１１の中央部に形成された開口部３１１ｇの周部から下方へ向かって突出する円筒状の筒部３１１ｈを一体に備えるのが好ましい。そして、アンテナ装置１ａは、高周波同軸コネクタ（以下、「第１の高周波同軸コネクタ」ともいう。）からなる接続部５の上部が筒部３１１ｈ内に配置されているのが好ましい。アンテナ装置１ａは、接続部５において筒部３１１ｈよりも下方に露出した部分に、高周波同軸ケーブルの一端に設けた、第１の高周波同軸コネクタに結合可能な第２の高周波同軸コネクタが結合される。アンテナ装置１ａの施工時には、第１の高周波同軸コネクタと第２の高周波同軸コネクタとを結合した後に、防水のために、例えば、自己融着テープを第１の高周波同軸コネクタと第２の高周波同軸コネクタとを覆うように巻くのが好ましい。これにより、アンテナ装置１ａは、水が第１の高周波同軸コネクタに付着したり、水がケース３内に入るのを抑制することが可能となる。
【００４９】
アンテナ装置１ａは、所定位置に設置された状態で、基地局の動作タイミングの同期用の時刻データを取得する用途や、地震予知用の測位データの取得の用途等に適した構成であるが、これら以外の用途に適用してもよい。
【００５０】
アンテナ装置１ａは、カバー本体３２１の下端部３２１ｃの平面視の外周形状が円形状であり、カバー本体３２１の上端部３２１ｄの外面が、下端部３２１ｃの外径の２分の１より小さい曲率半径のアールを有する形状であるのが好ましい。これにより、アンテナ装置１ａは、ほこりの堆積や積雪を抑制することが可能となり、また、鳥等が止まるのを抑制することが可能となる。
【００５１】
ところで、回路モジュール２は、回路基板２５の第２面２５ｂ側にサージ防護デバイス２４及びシールドケース２６を配置してあるが、これに限らず、回路基板２５の第１面２５ａ側にサージ防護デバイス２４及びシールドケース２６を配置した構成としてもよい。また、一群の電子部品２３は、回路基板２５の第１面２５ａ側のみに配置してもよいし、回路基板２５の第１面２５ａ側と第２面２５ｂ側とに分けて配置してもよいし、回路基板２５の第２面２５ｂ側のみに配置してもよい。
【００５２】
また、回路基板２５や、ケース３の形状は上記の例に限らず、適宜変更してもよい。また、シールドケース２６の形状は、上記の例に限らず、適宜変更してもよい。
【００５３】
図１２は、第２変形例のアンテナ装置１ｃの概略下面図である。
【００５４】
第２変形例のアンテナ装置１ｃは、実施形態のアンテナ装置１ａと基本構成が同じで、カバー３２に、補強突起３２６が設けられている点が第１変形例のアンテナ装置１ｂとは相違する。
【００５５】
より詳細には、第２変形例のアンテナ装置１ｃにおけるカバー３２は、カバー本体３２１の内面３２１ｂにおいて外鍔部３１４に対向する部位から突出して設けられ凹凸３１５の凹部３１６に入り込んだ補強突起３２６を備えている。これにより、第２変形例のアンテナ装置１ｃは、第１変形例のアンテナ装置１ｂに比べて、ケース３の側方からの衝撃に対するケース３の機械的強度を向上させることが可能となる。また、第２変形例のアンテナ装置１ｃは、カバー３２に補強突起３２６が形成されていることにより、実施形態のアンテナ装置１ａ及び第１変形例のアンテナ装置１ｂに比べてカバー３２の機械的強度を向上させることが可能となる。カバー３２は、複数の補強突起３２６を備えるのが好ましい。複数の補強突起３２６は、カバー３２の外周方向に沿った方向において略等間隔で配置されているのが好ましい。補強突起３２６は、平面視形状が矩形状であるが、これに限らず、円弧状の形状でもよい。補強突起３２６においてカバー３２の外周方向に沿った方向に交差する２つの側面は、カバー本体３２１の内面３２１ｂと滑らかに連続する形状に形成されているのが好ましい。補強突起３２６は、カバー３２の外周方向に沿った先端面と上述の２つの側面とが滑らかに連続するように形成された面取り部を備えるのが好ましい。
【００５６】
図１３は、第３変形例のアンテナ装置１ｄの一部破断した概略正面図である。
【００５７】
第３変形例のアンテナ装置１ｄは、ボディ３１における第１突起部３１３から下方へ向かって突出する複数のリブ３１９を有する。第３変形例のアンテナ装置１ｄは、複数のリブ３１９以外、実施形態のアンテナ装置１ａと同じ構成である。
【００５８】
第３変形例のアンテナ装置１ｄは、複数のリブ３１９を有することにより、ボディ３１の下面に水が留まるのをより抑制することが可能となり、防水性の更なる向上を図ることが可能となる。複数のリブ３１９は、カバー３２の外周方向に沿った方向において略等間隔で配置されているのが好ましい。リブ３１９は、下端に近づくほど幅が狭くする先細り状の形状に形成されているのが好ましい。これにより、第３変形例のアンテナ装置１ｄは、リブ３１９から水がより落下しやすくなる。リブ３１９は、凹凸３１５において凸部３１７に対応する部位よりも凹部３１６に対応する部位の近くに形成されているのが好ましい。
【００５９】
図１４は、第４変形例のアンテナ装置１ｅの一部破断した概略正面図である。
【００６０】
第４変形例のアンテナ装置１ｅにおけるカバー３２は、カバー本体３２１の下端縁から下方へ向かって突出する複数のリブ３２９を有する。第４変形例のアンテナ装置１ｅは、複数のリブ３２９以外、実施形態のアンテナ装置１ａと同じ構成である。
【００６１】
第４変形例のアンテナ装置１ｅは、複数のリブ３２９を有することにより、水がカバー３２を伝ってボディ３１の下面に回り込むのを抑制することが可能となり、ボディ３１の下面に水が留まるのをより抑制することが可能となる。よって、第４変形例のアンテナ装置１ｅでは、防水性の更なる向上を図ることが可能となる。複数のリブ３２９は、カバー３２の外周方向に沿った方向において略等間隔で配置されているのが好ましい。リブ３２９は、下端に近づくほど幅が狭くする先細り状の形状に形成されているのが好ましい。これにより、第４変形例のアンテナ装置１ｄは、リブ３２９から水がより落下しやすくなる。リブ３２９は、カバー３２の径方向において凹凸３１５の凸部３１７に対向する部位よりも凹部３１６に対向する部位の下端縁から突出しているのが好ましい。これにより、第４変形例のアンテナ装置１ｅは、水がカバー３２を伝ってボディ３１の下面に回り込むのを、より抑制することが可能となる。
【００６２】
第４変形例のアンテナ装置１ｅは、第３変形例のアンテナ装置１ｄにおける複数のリブ３１９をボディ３１に設けてもよいが、カバー３２のリブ３２９とボディ３１のリブ３１９とが、カバー３２の外周方向に沿った方向で離れているのが好ましい。
【符号の説明】
【００６３】
１ａ、１ｂ、１ｃ、１ｄ、１ｅ  アンテナ装置
２  回路モジュール
３  ケース
４  弾性部材
５  接続部
２１  ＧＰＳアンテナ素子
２２  受信回路
２３  電子部品
２５  回路基板
３１  ボディ
３２  カバー
３４  螺子
３４ｂ  軸部
３１１  ベース部
３１１ａ  上面
３１１ｂ  下面
３１２  側壁部
３１２ａ  上面
３１２ｂ  外周面
３１３  第１突起部
３１３ｂ  下端部
３１４  外鍔部
３１４ａ  外周面
３１５  凹凸
３１６  凹部
３１７  凸部
３１７ａ  第１凸部
３１７ｂ  第２凸部
３１８  貫通孔
３１９  リブ
３２１  カバー本体
３２１ｂ  内面
３２２  第２突起部
３２３  螺子穴
３２４  ボス部
３２６  補強突起
３２９  リブ
【図１】
2016063419.tif 000003
【図２】
2016063419.tif 000004
【図３】
2016063419.tif 000005
【図４】
2016063419.tif 000006
【図５】
2016063419.tif 000007
【図６】
2016063419.tif 000008
【図７】
2016063419.tif 000009
【図８】
2016063419.tif 000010
【図９】
2016063419.tif 000011
【図１０】
2016063419.tif 000012
【図１１】
2016063419.tif 000013
【図１２】
2016063419.tif 000014
【図１３】
2016063419.tif 000015
【図１４】
2016063419.tif 000016